(57)【特許請求の範囲】
【請求項１】
3つ以上のコネクタ上で送信されるべき複数のシンボル中の連続的なシンボルの各ペア間の、前記3つ以上のコネクタのシグナリング状態に関連する差を決定するステップと、
前記差に基づいて前記連続的なシンボルの各ペア間のシンボル境界における遷移間隔の持続時間を推定するステップと、
前記遷移間隔の前記持続時間がしきいの期間を超えると推定されるときに前記遷移間隔の前記持続時間を低減するために、前記3つ以上のコネクタの1つまたは複数のドライバの動作を修正するステップとを含み、
前記1つまたは複数のドライバの前記動作を修正するステップが、
前記遷移間隔の前記持続時間が前記しきいの期間を超えると推定されるときに少なくとも1つのコネクタ上の状態遷移の開始を遅延させるかまたは進ませるステップと、
前記遷移間隔の前記持続時間が前記しきいの期間より少ないと推定されるときに前記3つ以上のコネクタ上の状態遷移を遅延させるかまたは進ませることを控えるステップとを含み、
各シンボルが、前記3つ以上のコネクタの各々に対する少なくとも3つのシグナリング状態のうちの1つを定義する、データ転送方法。
【請求項２】
前記1つまたは複数のドライバの動作を修正するステップが、受信機内の状態遷移検出回路の2つ以上の出力を時間的に整合させ、前記状態遷移検出回路が、前記3つ以上のコネクタの異なるペアのシグナリング状態を比較するように構成される、請求項1に記載の方法。
【請求項３】
前記1つまたは複数のドライバの前記動作を修正するステップが、
前記ドライバに、対応する状態遷移が第2のコネクタ上で開始される前に第1のコネクタ上で状態遷移を開始させるための1つまたは複数の遅延を構成するステップを含む、請求項1に記載の方法。
【請求項４】
前記1つまたは複数のドライバの前記動作を修正するステップが、
前記ドライバに、対応する状態遷移が第2のコネクタ上で開始された後に第1のコネクタ上で状態遷移を開始させるための1つまたは複数の遅延を構成するステップを含む、請求項1に記載の方法。
【請求項５】
前記1つまたは複数のドライバの前記動作を修正するステップが、
前記ドライバに、第2のコネクタ上の対応する状態遷移の開始に対して、第1のコネクタ上の状態遷移の開始を遅延させるかまたは進ませるための1つまたは複数の遅延を構成するステップを含む、請求項1に記載の方法。
【請求項６】
前記1つまたは複数のドライバの前記動作を修正するステップが、
前記遷移間隔の前記持続時間が前記しきいの期間を超えると推定されるときに前記遷移間隔の少なくとも一部の間に1つのコネクタをアクティブに駆動するステップと、
前記遷移間隔の前記持続時間が前記しきいの期間より少ないと推定されるときに、前記連続的なシンボルの各ペアの第2のシンボルが送信される間、前記1つのコネクタを駆動することを控えるステップとを含む、請求項1に記載の方法。
【請求項７】
前記遷移間隔の前記持続時間を推定するステップが、
前記シンボル境界に対する前記3つ以上のコネクタの各々に対するシグナリング状態遷移時間を決定するステップと、
前記シンボル境界と、受信機における複数の差動受信機の各々の出力における遷移との間の遅延を推定するステップとを含み、
前記複数の差動受信機の各々が、前記3つ以上のコネクタの異なるペアに結合される、
請求項1に記載の方法。
【請求項８】
前記3つ以上のコネクタが少なくとも3つのワイヤを備え、少なくとも1つのワイヤが、各シンボルを送信する間に非駆動状態である、請求項1に記載の方法。
【請求項９】
端末内の2つのデバイスを通信可能に結合する複数のコネクタと、
処理回路とを備え、前記処理回路が、
3つ以上のコネクタ上で送信されるべき複数のシンボル中の連続的なシンボルの各ペア間の、前記3つ以上のコネクタのシグナリング状態に関連する差を決定することと、
前記差に基づいて前記連続的なシンボルの各ペア間のシンボル境界における遷移間隔の持続時間を推定することと、
前記遷移間隔の前記持続時間がしきいの期間を超えると推定されるときに前記遷移間隔の前記持続時間を低減するために、前記3つ以上のコネクタの1つまたは複数のドライバの動作を修正することとを行うように構成され、
前記処理回路が、
前記遷移間隔の前記持続時間が前記しきいの期間を超えると推定されるときに少なくとも1つのコネクタ上の状態遷移の開始を遅延させるかまたは進ませることと、
前記遷移間隔の前記持続時間が前記しきいの期間より少ないと推定されるときに前記3つ以上のコネクタ上の状態遷移を遅延させるかまたは進ませることを控えることと
により、1つまたは複数のドライバの動作を修正するように構成され、
各シンボルが、前記3つ以上のコネクタの各々に対する少なくとも3つのシグナリング状態のうちの1つを定義する、装置。
【請求項１０】
前記1つまたは複数のドライバの前記動作が、受信機内の状態遷移検出回路の2つ以上の出力が時間的に整列されるように修正され、前記状態遷移検出回路が、前記3つ以上のコネクタの異なるペアのシグナリング状態を比較するように構成される、請求項9に記載の装置。
【請求項１１】
前記処理回路が、
前記ドライバに、第2のコネクタ上の対応する状態遷移の開始に対して、第1のコネクタ上の状態遷移の開始を遅延させるかまたは進ませるための1つまたは複数の遅延を構成するように構成される、請求項9に記載の装置。
【請求項１２】
前記処理回路が、
前記遷移間隔の前記持続時間が前記しきいの期間を超えると推定されるときに前記遷移間隔の少なくとも一部の間に1つのコネクタをアクティブに駆動することと、
前記遷移間隔の前記持続時間が前記しきいの期間より少ないと推定されるときに、前記連続的なシンボルの各ペアの第2のシンボルが送信される間、前記1つのコネクタを駆動することを控えることとを行うように構成される、請求項9に記載の装置。
【請求項１３】
前記処理回路が、
前記シンボル境界に対する前記3つ以上のコネクタの各々に対するシグナリング状態遷移時間を決定することと、
前記シンボル境界と、受信機における複数の差動受信機の各々の出力における遷移との間の遅延を推定することとを行うように構成され、
前記複数の差動受信機の各々が、前記3つ以上のコネクタの異なるペアに結合される、
請求項9に記載の装置。
【請求項１４】
前記3つ以上のコネクタが少なくとも3つのワイヤを備え、少なくとも1つのワイヤが、各シンボルを送信する間に非駆動状態である、請求項9に記載の装置。
【請求項１５】
3つ以上のコネクタ上で送信されるべき複数のシンボル中の連続的なシンボルの各ペア間の、前記3つ以上のコネクタのシグナリング状態に関連する差を決定するステップと、
前記差に基づいて前記連続的なシンボルの各ペア間のシンボル境界における遷移間隔の持続時間を推定するステップと、
前記遷移間隔の前記持続時間がしきいの期間を超えると推定されるときに前記遷移間隔の前記持続時間を低減するために、前記3つ以上のコネクタの1つまたは複数のドライバの動作を修正するステップとを含み、
前記1つまたは複数のドライバの前記動作を修正するステップが、
前記遷移間隔の前記持続時間が前記しきいの期間を超えると推定されるときに前記遷移間隔の少なくとも一部の間に1つのコネクタをアクティブに駆動するステップ、または
前記遷移間隔の前記持続時間が前記しきいの期間より少ないと推定されるときに、前記連続的なシンボルの各ペアの第2のシンボルが送信される間、前記1つのコネクタを駆動することを控えるステップ
を含み、
各シンボルが、前記3つ以上のコネクタの各々に対する少なくとも3つのシグナリング状態のうちの1つを定義する、データ転送方法。
【請求項１６】
前記1つまたは複数のドライバの動作を修正するステップが、受信機内の状態遷移検出回路の2つ以上の出力を時間的に整合させ、前記状態遷移検出回路が、前記3つ以上のコネクタの異なるペアのシグナリング状態を比較するように構成される、請求項15に記載の方法。
【請求項１７】
前記1つまたは複数のドライバの前記動作を修正するステップが、
前記ドライバに、対応する状態遷移が第2のコネクタ上で開始される前に第1のコネクタ上で状態遷移を開始させるための1つまたは複数の遅延を構成するステップを含む、請求項15に記載の方法。
【請求項１８】
前記1つまたは複数のドライバの前記動作を修正するステップが、
前記ドライバに、対応する状態遷移が第2のコネクタ上で開始された後に第1のコネクタ上で状態遷移を開始させるための1つまたは複数の遅延を構成するステップを含む、請求項15に記載の方法。
【請求項１９】
前記1つまたは複数のドライバの前記動作を修正するステップが、
前記ドライバに、第2のコネクタ上の対応する状態遷移の開始に対して、第1のコネクタ上の状態遷移の開始を遅延させるかまたは進ませるための1つまたは複数の遅延を構成するステップを含む、請求項15に記載の方法。
【請求項２０】
前記1つまたは複数のドライバの前記動作を修正するステップが、
前記遷移間隔の前記持続時間が前記しきいの期間を超えると推定されるときに少なくとも1つのコネクタ上の状態遷移の開始を遅延させるかまたは進ませるステップと、
前記遷移間隔の前記持続時間が前記しきいの期間より少ないと推定されるときに前記3つ以上のコネクタ上の状態遷移を遅延させるかまたは進ませることを控えるステップとを含む、請求項15に記載の方法。
【請求項２１】
前記遷移間隔の前記持続時間を推定するステップが、
前記シンボル境界に対する前記3つ以上のコネクタの各々に対するシグナリング状態遷移時間を決定するステップと、
前記シンボル境界と、受信機における複数の差動受信機の各々の出力における遷移との間の遅延を推定するステップとを含み、
前記複数の差動受信機の各々が、前記3つ以上のコネクタの異なるペアに結合される、
請求項15に記載の方法。
【請求項２２】
前記3つ以上のコネクタが少なくとも3つのワイヤを備え、少なくとも1つのワイヤが、各シンボルを送信する間に非駆動状態である、請求項15に記載の方法。
【請求項２３】
端末内の2つのデバイスを通信可能に結合する複数のコネクタと、
処理回路とを備え、前記処理回路が、
3つ以上のコネクタ上で送信されるべき複数のシンボル中の連続的なシンボルの各ペア間の、前記3つ以上のコネクタのシグナリング状態に関連する差を決定することと、
前記差に基づいて前記連続的なシンボルの各ペア間のシンボル境界における遷移間隔の持続時間を推定することと、
前記遷移間隔の前記持続時間がしきいの期間を超えると推定されるときに前記遷移間隔の前記持続時間を低減するために、前記3つ以上のコネクタの1つまたは複数のドライバの動作を修正することとを行うように構成され、
前記処理回路が、
前記遷移間隔の前記持続時間が前記しきいの期間を超えると推定されるときに前記遷移間隔の少なくとも一部の間に1つのコネクタをアクティブに駆動することと、
前記遷移間隔の前記持続時間が前記しきいの期間より少ないと推定されるときに、前記連続的なシンボルの各ペアの第2のシンボルが送信される間、前記1つのコネクタを駆動することを控えることと、
により、1つまたは複数のドライバの動作を修正するように構成され、
各シンボルが、前記3つ以上のコネクタの各々に対する少なくとも3つのシグナリング状態のうちの1つを定義する、
装置。
【請求項２４】
前記1つまたは複数のドライバの前記動作が、受信機内の状態遷移検出回路の2つ以上の出力が時間的に整列されるように修正され、前記状態遷移検出回路が、前記3つ以上のコネクタの異なるペアのシグナリング状態を比較するように構成される、請求項23に記載の装置。
【請求項２５】
前記処理回路が、
前記ドライバに、第2のコネクタ上の対応する状態遷移の開始に対して、第1のコネクタ上の状態遷移の開始を遅延させるかまたは進ませるための1つまたは複数の遅延を構成するように構成される、請求項23に記載の装置。
【請求項２６】
前記処理回路が、
前記遷移間隔の前記持続時間が前記しきいの期間を超えると推定されるときに少なくとも1つのコネクタ上の状態遷移の開始を遅延させるかまたは進ませることと、
前記遷移間隔の前記持続時間が前記しきいの期間より少ないと推定されるときに前記3つ以上のコネクタ上の状態遷移を遅延させるかまたは進ませることを控えることと
を行うように構成される、請求項23に記載の装置。
【請求項２７】
前記処理回路が、
前記シンボル境界に対する前記3つ以上のコネクタの各々に対するシグナリング状態遷移時間を決定することと、
前記シンボル境界と、受信機における複数の差動受信機の各々の出力における遷移との間の遅延を推定することと
を行うように構成され、
前記複数の差動受信機の各々が、前記3つ以上のコネクタの異なるペアに結合される、
請求項23に記載の装置。
【請求項２８】
前記3つ以上のコネクタが少なくとも3つのワイヤを備え、少なくとも1つのワイヤが、各シンボルを送信する間に非駆動状態である、請求項23に記載の装置。
【発明の詳細な説明】
【技術分野】
【０００１】
関連出願の相互参照
本出願は、その内容全体が参照により本明細書に組み込まれる、2013年8月8日に出願された米国仮特許出願第61/863,695号、および2014年8月6日に出願された米国非仮特許出願第14/453,346号の優先権および利益を主張する。
【０００２】
本開示は、一般に高速データ通信インターフェースに関し、より詳細には、マルチワイヤ、多相データ通信リンクにおける信号調節に関する。
【背景技術】
【０００３】
セルラー電話など、モバイルデバイスの製造業者は、モバイルデバイスのコンポーネントを、異なる製造業者を含む様々なソースから取得し得る。たとえば、セルラー電話におけるアプリケーションプロセッサが第1の製造業者から取得され、一方、セルラー電話のディスプレイが第2の製造業者から取得されることがある。アプリケーションプロセッサおよびディスプレイまたは他のデバイスは、標準ベースのまたはプロプライエタリであり得る物理インターフェースを使用して相互接続され得る。たとえば、ディスプレイは、モバイル業界プロセッサインターフェースアライアンス(MIPI)によって指定されたディスプレイシステムインターフェース(DSI)規格に準拠するインターフェースを提供する。
【０００４】
マルチワイヤインターフェースでは、通信リンクの最大速度およびクロック情報を取り戻すためのクロックデータ復元(CDR)回路の能力は、通信リンク上で送信される信号の遷移に関する最大時間変動によって制限され得る。マルチワイヤインターフェースでは、異なるワイヤ上の遷移は、信号遷移時間における様々な変動を呈し得、これは、受信デバイスにおける受信機の出力が、データまたはシンボル境界に関して異なる時に変わる原因となり得る。マルチワイヤ信号における大きい遷移時間差はしばしば、CDR回路における遅延要素の実装を必要とし、遅延要素は、少なくとも最小受信機遷移イベントと最大受信機遷移イベントとの間の差の長さである最小の遅延を有する。この遅延要素の最大時間は、送信クロックの期間を著しく制限することによって、通信リンク上のスループットを制限し得る。
【発明の概要】
【課題を解決するための手段】
【０００５】
本明細書で開示する実施形態は、装置内のデバイス間の物理インターフェースにおいて改善された送信レートを可能にするシステム、方法および装置を提供する。装置は、電子装置においてコロケートし1つまたは複数のデータリンクを通じて通信可能に結合することのできる複数の集積回路(IC)デバイスを有するモバイル端末を含み得る。
【０００６】
本開示の一態様では、データ転送方法は、3つ以上のコネクタ上で送信されるべき複数のシンボル中の連続的なシンボルの各ペア間の差を決定するステップと、その差に基づいて連続的なシンボルのペア間のシンボル境界における遷移間隔の持続時間を推定するステップと、遷移間隔の持続時間がしきいの期間を超えると推定されるときに遷移間隔の持続時間を低減するために、3つ以上のコネクタの1つまたは複数のドライバの動作を修正するステップとを含む。連続的なシンボルの各ペア間の差は、3つ以上のコネクタのシグナリング状態に関連することがある。各シンボルは、3つ以上のコネクタの各々に対する少なくとも3つのシグナリング状態のうちの1つを定義し得る。
【０００７】
別の態様では、1つまたは複数のドライバの動作を修正するステップは、受信機内の状態遷移検出回路の2つ以上の出力の時間的アライメントを引き起こすことができる。状態遷移検出回路は、3つ以上のコネクタの異なるペアのシグナリング状態を比較するように構成され得る。時間的アライメントを引き起こすステップは、しきいの期間より少ない時間期間内に遷移を発生させるステップを含み得る。
【０００８】
別の態様では、1つまたは複数のドライバの動作を修正するステップは、ドライバに、対応する状態遷移が第2のコネクタ上で開始される前に第1のコネクタ上で状態遷移を開始させるための1つまたは複数の遅延を構成するステップを含む。
【０００９】
別の態様では、1つまたは複数のドライバの動作を修正するステップは、ドライバに、対応する状態遷移が第2のコネクタ上で開始された後に第1のコネクタ上で状態遷移を開始させるための1つまたは複数の遅延を構成するステップを含む。
【００１０】
別の態様では、1つまたは複数のドライバの動作を修正するステップは、ドライバに、第2のコネクタ上の対応する状態遷移の開始に対して、第1のコネクタ上の状態遷移の開始を遅延させるかまたは進ませるための1つまたは複数の遅延を構成するステップを含む。
【００１１】
別の態様では、1つまたは複数のドライバの動作を修正するステップは、遷移間隔の持続時間がしきいの期間を超えると推定されるときに少なくとも1つのコネクタ上の状態遷移の開始を遅延させるかまたは進ませるステップと、遷移間隔の持続時間がしきいの期間より少ないと推定されるときに3つ以上のコネクタ上の状態遷移を遅延させるかまたは進ませることを控えるステップとを含む。
【００１２】
別の態様では、1つまたは複数のドライバの動作を修正するステップは、遷移間隔の持続時間がしきいの期間を超えると推定されるときに遷移間隔の少なくとも一部の間に1つのコネクタをアクティブに駆動するステップと、遷移間隔の持続時間がしきいの期間より少ないと推定されるときに連続的なシンボルのペアの第2のシンボルが送信されている間に1つのコネクタを駆動することを控えるステップとを含む。
【００１３】
別の態様では、遷移間隔の持続時間を推定するステップは、シンボル境界に対する3つ以上のコネクタの各々に対するシグナリング状態遷移時間を決定するステップと、シンボル境界と、受信機における複数の差動受信機の各々の出力における遷移との間の遅延を推定するステップとを含む。複数の差動受信機の各々は、3つ以上のコネクタの異なるペアに結合され得る。
【００１４】
別の態様では、3つ以上のコネクタは少なくとも3つのワイヤを含み得、少なくとも1つのワイヤは、各シンボルを送信する間に非駆動状態であり得る。
【００１５】
本開示の一態様では、装置は、3つ以上のコネクタ上で送信されるべき複数のシンボル中の連続的なシンボルの各ペア間の差を決定するための手段と、その差に基づいて連続的なシンボルのペア間のシンボル境界における遷移間隔の持続時間を推定するための手段と、遷移間隔の持続時間がしきいの期間を超えると推定されるときに遷移間隔の持続時間を低減するために、3つ以上のコネクタの1つまたは複数のドライバの動作を修正するための手段とを含む。連続的なシンボルの各ペア間の差は、3つ以上のコネクタのシグナリング状態に関連することがある。各シンボルは、3つ以上のコネクタの各々に対する少なくとも3つのシグナリング状態のうちの1つを定義し得る。
【００１６】
本開示の一態様では、装置は、端末内の2つのデバイスを通信可能に結合する複数のコネクタと、処理回路とを含む。処理回路は、3つ以上のコネクタ上で送信されるべき複数のシンボル中の連続的なシンボルの各ペア間の差を決定することと、その差に基づいて連続的なシンボルのペア間のシンボル境界における遷移間隔の持続時間を推定することと、遷移間隔の持続時間がしきいの期間を超えると推定されるときに遷移間隔の持続時間を低減するために、3つ以上のコネクタの1つまたは複数のドライバの動作を修正することとを行うように構成され得る。差は、3つ以上のコネクタのシグナリング状態に関連することがある。各シンボルは、3つ以上のコネクタの各々に対する少なくとも3つのシグナリング状態のうちの1つを定義し得る。
【００１７】
本開示の一態様では、プロセッサ可読記憶媒体は、1つまたは複数の命令を有する。1つまたは複数の命令は、少なくとも1つの処理回路によって実行され得る。1つまたは複数の命令は、少なくとも1つの処理回路に、3つ以上のコネクタ上で送信されるべき複数のシンボル中の連続的なシンボルの各ペア間の差を決定することと、その差に基づいて連続的なシンボルのペア間のシンボル境界における遷移間隔の持続時間を推定することと、遷移間隔の持続時間がしきいの期間を超えると推定されるときに遷移間隔の持続時間を低減するために、3つ以上のコネクタの1つまたは複数のドライバの動作を修正することとを行わせ得る。連続的なシンボルの各ペア間の差は、3つ以上のコネクタのシグナリング状態に関連することがある。各シンボルは、3つ以上のコネクタの各々に対する少なくとも3つのシグナリング状態のうちの1つを定義し得る。
【図面の簡単な説明】
【００１８】
【図１】複数の利用可能な規格のうちの1つに従って選択的に動作するICデバイス間のデータリンクを使用する装置の図である。
【図２】ICデバイス間のデータリンクを使用する装置のシステム構成を示す図である。
【図３】N相極性データエンコーダを示す図である。
【図４】N相極性符号化インターフェースにおけるシグナリングを示す図である。
【図５】N相極性デコーダを示す図である。
【図６】MワイヤN相極性デコーダにおける遷移検出を示す図である。
【図７】MワイヤN相極性デコーダにおける遷移検出上の信号立上り時間の影響の簡略化された例を示す図である。
【図８】MワイヤN相極性デコーダにおける潜在的な状態遷移を示す状態図である。
【図９】MワイヤN相極性デコーダにおける遷移領域および目領域を示す図である。
【図１０】本明細書で開示するいくつかの態様に従って遷移の前進および遅延のいくつかの態様を示す簡略図である。
【図１１】本明細書で開示するいくつかの態様に従ってマルチワイヤインターフェース上で送信された信号に対する前進/遅延回路の一例を示す図である。
【図１２】本明細書で開示するいくつかの態様に従って提供される前進/遅延回路の動作の一例を示す図である。
【図１３】本明細書で開示するいくつかの態様に従って適合され得る処理回路を使用する装置の一例を示すブロック図である。
【図１４】MワイヤN相信号遷移アライメントのための方法のフローチャートである。
【図１５】MワイヤN相信号遷移アライメントを使用する装置のためのハードウェア実装の一例を示す図である。
【発明を実施するための形態】
【００１９】
次に、様々な態様について図面を参照して説明する。以下の説明では、説明の目的で、1つまたは複数の態様の完全な理解をもたらすために多数の具体的な詳細を記載する。しかしながら、そのような態様が、これらの特定の詳細がなくても実施され得ることは、明らかである。
【００２０】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどのコンピュータ関連エンティティを含むものとする。たとえば、構成要素は、そうであることに限らないが、プロセッサ上で動作するプロセス、プロセッサ、オブジェクト、実行ファイル、実行中のスレッド、プログラム、および/またはコンピュータであり得る。例示として、コンピューティングデバイス上で動作するアプリケーションとコンピューティングデバイスの両方が、構成要素であってもよい。1つまたは複数の構成要素は、プロセスおよび/または実行スレッド内に存在してもよく、構成要素は、1つのコンピュータに局在化され、かつ/または2つ以上のコンピュータ間で分散されてもよい。加えて、これらの構成要素は、様々なデータ構造を記憶している様々なコンピュータ可読媒体から実行してもよい。構成要素は、たとえば、局所的システム内、分散システム内、および/または、インターネットなどのネットワークを越えた所の別の構成要素と相互に作用する1つの構成要素からのデータなどの、1つまたは複数のデータパケットを有する信号によるなど、局所的および/または遠隔の処理を介して、信号によって他のシステムと通信してもよい。
【００２１】
その上、「または」という用語は、排他的な「または」よりもむしろ包括的な「または」を意味するものとする。すなわち、別段の規定がない限り、または文脈から明白でない限り、「XはAまたはBを使用する」という句は、自然な包括的並べ替えのいずれかを意味するものとする。すなわち、「XはAまたはBを使用する」という句は、以下の例のいずれかによって満たされる。XはAを用いる。XはBを用いる。またはXはAとBの両方を用いる。さらに、本出願および添付の特許請求の範囲で使用する冠詞「a」および「an」は、別段の規定がない限り、または単数形を示すことが文脈から明白でない限り、概して「1つもしくは複数」を意味するものと解釈すべきである。
【００２２】
本発明のいくつかの態様は、電話、モバイルコンピューティングデバイス、電気製品、自動車用電子機器、アビオニクスシステムなど、装置のサブ構成要素を含み得る電子デバイス間に配備される通信リンクに対して適用可能であり得る。図1は、ICデバイス間の通信リンクを使用する装置の簡略化された例を示す。装置100は、処理回路102に動作可能に結合された通信トランシーバ106を含み得る。一例では、装置100は、無線アクセスネットワーク(RAN)、コアアクセスネットワーク、インターネット、および/または別のネットワークとRFトランシーバ106を介して通信するワイヤレス通信デバイスを含み得る。処理回路102は、特定用途向けIC(ASIC)108および/または1つまたは複数の他のICデバイスを含み得る。ASIC108は、1つまたは複数の処理デバイス、論理回路などを含み得る。処理回路102は、処理回路102のプロセッサによって実行され得る命令および処理回路102によって操作され得るデータを維持し得るメモリ112などのプロセッサ可読ストレージを含み得、および/またはそれに結合され得る。処理回路102のいくつかの機能は、オペレーティングシステムと、メモリデバイス112など、記憶媒体内に存在するソフトウェアモジュールの実行をサポートし可能にするアプリケーションプログラミングインターフェース(API)110レイヤとのうちの1つまたは複数によって制御され得る。メモリデバイス112は、読取り専用メモリ(ROM)もしくはランダムアクセスメモリ(RAM)、電気的消去可能プログラマブルROM(EEPROM)、フラッシュカード、または処理システム内およびコンピューティングプラットフォーム内で使用され得る任意のメモリデバイスを含み得る。処理回路102は、装置100を構成および操作するために使用される操作パラメータおよび他の情報を維持し得るローカルデータベース114を含み得るか、またはそれにアクセスし得る。ローカルデータベース114は、データベースモジュール、フラッシュメモリ、磁気媒体、EEPROM、光媒体、テープ、ソフトディスクまたはハードディスクなどのうちの1つもしくは複数を使用して実装され得る。処理回路102はまた、アンテナ122、ディスプレイ124などの外部デバイス、キーパッド126、ボタン、ロッカーまたはスライダースイッチ128などのオペレータ制御、および/または他の構成要素に動作可能に結合され得る。
【００２３】
図2は、ワイヤレスモバイルデバイス、携帯電話、モバイルコンピューティングシステム、ワイヤレス電話、ノートブックコンピュータ、タブレットコンピューティングデバイス、メディアプレーヤ、ゲーミングデバイス、アプライアンス、ウェアラブルコンピューティングデバイスなどの装置200のいくつかの態様を示すブロック概略図である。装置200は、通信リンク220を介してデータならびに制御情報を交換する複数のICデバイス202および230を含み得る。通信リンク220を使用して、互いに極近傍に配置されるか、または装置200の物理的に異なる部分に配置されるICデバイス202および230を接続することができる。一例では、通信リンク220は、ICデバイス202および230を担持するチップキャリア、基板または回路板上に設けられ得る。別の例では、第1のICデバイス202は、フリップフォンのキーパッドセクション内に配置され得、一方、第2のICデバイス230は、フリップフォンのディスプレイセクション内に配置され得る。別の例では、通信リンク220の一部分は、ケーブル接続または光接続を含み得る。
【００２４】
通信リンク220は、複数のチャネル222、224および226を含み得る。1つもしくは複数のチャネル226は、双方向性であってよく、半二重モードおよび/または全二重モードで動作し得る。1つまたは複数のチャネル222および/または224は、一方向性であってよい。通信リンク220は、一方向により高い帯域幅を提供する非対称性であってよい。一例では、第1の通信チャネル222は順方向リンク222と呼ばれることがあり、一方、第2の通信チャネル224は逆方向リンク224と呼ばれることがある。ICデバイス202および230の両方が通信リンク222上で送信および受信するように構成される場合でも、第1のICデバイス202はホストシステムまたは送信機として指定され得、一方、第2のICデバイス230はクライアントシステムまたは受信機として指定され得る。一例では、順方向リンク222は、第1のICデバイス202から第2のICデバイス230にデータを通信するときにより高いデータレートで動作し得、一方、逆方向リンク224は、第2のICデバイス230から第1のICデバイス202にデータを通信するときより低いデータレートで動作し得る。
【００２５】
ICデバイス202および230は、処理回路、コンピューティング回路、または他の回路に設けられ得るプロセッサ206、236を各々含み得る。一例では、第1のICデバイス202は、ワイヤレストランシーバ204およびアンテナ214を介するワイヤレス通信を維持することを含む、装置200のコア機能を実行するように適合され得、一方、第2のICデバイス230は、ディスプレイコントローラ232を管理するかまたは動作させるユーザインターフェースをサポートするように構成され得、カメラコントローラ234を使用してカメラまたはビデオの入力デバイスの動作を制御し得る。ICデバイス202および230のうちの1つまたは複数によってサポートされる他の特徴は、キーボード、音声認識構成要素、全地球測位システム、バイオメトリクス認識システム、動きセンサー、および他の入力デバイスまたは出力デバイスを含み得る。ディスプレイコントローラ232は、液晶ディスプレイ(LCD)パネル、タッチスクリーンディスプレイ、インジケータなどのディスプレイをサポートする回路およびソフトウェアドライバを含み得る。記憶媒体208および238は、それぞれのプロセッサ206および236、ならびに/またはICデバイス202および230の他の構成要素によって使用される命令とデータとを維持するように適合された、一時的記憶デバイスおよび/または非一時的記憶デバイスを含み得る。各プロセッサ206、236およびその対応する記憶媒体208、238、ならびに他のモジュールおよび回路の間の通信は、1つまたは複数のバス212および242によって、それぞれ、容易にされ得る。
【００２６】
逆方向リンク224は、順方向リンク222と同じ様式で動作され得、順方向リンク222および逆方向リンク224は、同等の速度または異なる速度で送信することが可能であり、ここで速度は、データレート(またはデータ転送レート)および/または送信機クロックレートとして表され得る。順方向および逆方向のデータレートは、アプリケーションに応じて桁が実質的に同じであるかまたは桁が異なることがある。いくつかのアプリケーションでは、単一の双方向リンク226は、第1のICデバイス202と第2のICデバイス230との間の通信をサポートし得る。順方向リンク222および/または逆方向リンク224は、たとえば、順方向リンク222および逆方向リンク224が同じ物理接続を共有し、半二重様式で動作するとき、双方向モードで動作するように構成可能であり得る。一例では、通信リンク220は、工業規格または他の規格に従って第1のICデバイス202と第2のICデバイス230との間でデータ情報、制御情報、コマンド情報および他の情報を通信するように動作され得る。
【００２７】
工業規格は、アプリケーション固有であってよい。一例では、MIPI規格は、アプリケーションプロセッサICデバイス202と、モバイルデバイス内のカメラまたはディスプレイをサポートするICデバイス230との間の同期インターフェース仕様(D-PHY)を含む物理レイヤインターフェースを定義する。D-PHY仕様は、モバイルデバイスに対するMIPI仕様に準拠する製品の動作特性を支配する。D-PHYインターフェースは、モバイルデバイス内でコンポーネント202と230との間を相互接続する柔軟で、低コストで、高速のシリアルインターフェースを使用してデータ転送をサポートし得る。これらのインターフェースは、電磁干渉(EMI)問題を回避するためにスローエッジを有する比較的低いビットレートをもたらす相補型金属酸化物半導体(CMOS)パラレルバスを含み得る。
【００２８】
図2の通信リンク220は、(M本のワイヤとして示す)複数の信号ワイヤを含むワイヤ接続バスとして実装され得る。M本のワイヤは、N相符号化データを、たとえばディスプレイインターフェースなど、高速のデジタルインターフェースで運ぶように構成され得る。M本のワイヤは、チャネル222、224および/または226のうちの1つまたは複数のN相極性符号化を容易にし得る。物理レイヤドライバ210および240は、通信リンク220上で送信するためのN相極性符号化データシンボルを生成する、および/または通信リンク220から受信されたN相極性符号化データシンボルを復号するように構成または適合され得る。N相極性符号化の使用では、たとえば、N相極性符号化データリンク220においてより少ないドライバがアクティブになるので、高速データ転送がもたらされ、他のインターフェースの電力の半分以下を消費し得る。
【００２９】
N相極性符号化デバイス210および/または240は、一般に、通信リンク220上の遷移当たり複数ビットを符号化し得る。一例では、3相符号化および極性符号化の組合せは、ディスプレイリフレッシュのために810Mbpsでピクセルデータを配信する、フレームバッファなしで毎秒80フレームのLCDドライバICの、ワイドビデオグラフィックスアレイ(WVGA)をサポートするために使用され得る。
【００３０】
図3は、図2に示す通信リンク220のいくつかの態様を実装するために使用され得る、MワイヤN相極性エンコーダ300を示す概略図である。図示の例では、MワイヤN相極性エンコーダ送信機は、M=3ワイヤおよびN=3相シグナリングを使用して情報を送信するように構成される。3ワイヤ3相符号化の例は、単に、本発明のいくつかの態様の説明を簡素化するために選択されているにすぎない。3ワイヤ3相エンコーダに対して開示される原理および技法は、MワイヤN相極性エンコーダおよびデコーダの他の構成に適用され得る。
【００３１】
MワイヤN相極性符号化方式におけるM本のワイヤの各々について定義されるシグナリング状態は、非駆動状態、正駆動状態、および負駆動状態を含み得る。3ワイヤ3相極性符号化方式では、信号ワイヤ310a、310bおよび/もしくは310cのうちの2つの間の電圧差を提供することによって、ならびに/または2つの信号ワイヤ310a、310bおよび/もしくは310cにおいて異なる方向に電流が流れるように、直列に接続された信号ワイヤ310a、310bおよび/もしくは310cのうちの2つを通る電流を駆動することによって、正駆動状態および負駆動状態が得られ得る。一例では、非駆動状態は、信号ワイヤ310a、310bまたは310cのドライバの出力を高インピーダンスモードにすることによって実現され得る。別の例では、非駆動状態は、駆動された信号ワイヤ310a、310bおよび/または310cにおいて提供される正の電圧レベルと負の電圧レベルとの間の実質的に中間にある電圧レベルを「非駆動の」信号ワイヤ310a、310bまたは310cが受動的または能動的に帯びるようにすることによって、信号ワイヤ310a、310bまたは310cにおいて得られ得る。一般に、非駆動信号ワイヤ310a、310bまたは310cを有意な電流は流れない。3ワイヤ3相極性符号化方式のために定義されたシグナリング状態は、電圧または電流の状態を表し得る3つのシグナリング状態{+1, 0, -1}を使用して示され得る。一例では、3つの状態{+1, 0, -1}は、3つの電圧レベル+V、0、-Vを表し得る。別の例では、3つの状態{+1, 0, -1}は、3つの電圧レベル+V、+V/2、0を表し得る。別の例では、3つの状態{+1, 0, -1}は、I、0、-Iの電流を表し得る。
【００３２】
3ワイヤ3相極性エンコーダは、コネクタ310a、310bおよび310cのシグナリング状態を制御するために、1組のドライバ308を使用し得る。ドライバ308は、ユニットレベルの電流モードまたは電圧モードドライバとして実装され得る。各ドライバ308は、対応するコネクタ310a、310bまたは310cのシグナリング状態を決定する1組の信号316a、316bまたは316cを受信することができる。図示の例では、ドライバ308の各々は、対応するコネクタ310a、310bまたは310cのための4つの状態を定義する1対の信号316a、316bまたは316cを受信する。別の例では、各ドライバ308は、対応するコネクタ310a、310bまたは310cのための8つの状態を定義する1組の3つの信号を受信することができる。
【００３３】
MワイヤN相極性符号化方式における送信されたシンボル間隔ごとに、少なくとも1つの信号ワイヤ310a、310bまたは310cは非駆動状態(0のシグナリング状態)であり、受信機に流れる電流の合計がゼロに等しいように、正駆動(+1のシグナリング状態)の信号ワイヤ310a、310bまたは310cの数は、負駆動(-1のシグナリング状態)の信号ワイヤ310a、310bまたは310cの数に等しい。前に送信されたシンボルと次に送信されたシンボルとの間の各シンボル遷移で、少なくとも1つの信号ワイヤ310a、310bまたは310cのシグナリング状態は変化する。少なくとも1つの信号ワイヤ310a、310bおよび/または310cのシグナリング状態が連続的なシンボルの各対の間で変化するとき、受信機は、遷移に基づいて受信クロックを確実に生成することができる。
【００３４】
動作中、マッパー302は、入力データ310を受信し、1組のシンボル312にマッピングすることができる。示された3ワイヤ3相の例では、1組のシンボルは7つの3ビットシンボルを含み、入力データ310の16ビットワードがシンボルの各組に符号化され得る。3ビットシンボルの各ビットは、1つのシンボル間隔の間の信号ワイヤ310a、310bおよび310cの1つの状態を定義する。シンボル312のシーケンスは、シンボル314のタイミングシーケンスを提供する並直列変換器304を使用して直列化され得、各シンボルが3ワイヤ310a、310bおよび310cのシグナリング状態を定義する。シンボル314のシーケンスは、一般的に、シンボル間隔を画定するために、送信クロックを使用して時間が計られ、それによって、各シンボル間隔で単一のシンボルが送信される。3ワイヤ相エンコーダ306は、マッパーによって作成された7シンボル314のシーケンスを一回に1シンボルとして受信し、各シンボル間隔の間に各信号ワイヤ310a、310bおよび310cの状態を計算する。3ワイヤエンコーダ306は、電流入力シンボル314と信号ワイヤ310a、310bおよび310cの前の状態とに基づいて信号ワイヤ310a、310bおよび310cの状態を選択する。
【００３５】
MワイヤN相符号化の使用では、ビット数が複数のシンボルに符号化されることが可能になる。データビットの非整数は、各シンボルに符号化され得る。3ワイヤ3相システムの例では、同時に駆動され得る2ワイヤに3つの利用可能な組合せが存在し、駆動されるワイヤペアに極性の2つの可能な組合せが存在し、6つの可能な状態が得られる。信号ワイヤ310a、310bおよび310cのシグナリング状態は、シンボル間の各遷移で変わり、したがって、6つの状態のうちの5つは、すべての遷移で利用可能である。言い換えれば、受信機が信頼できる受信クロックを生成できるようにするために、少なくとも1つのワイヤの状態が各遷移で変わり、電流のシグナリング状態が与えられると、各遷移で利用可能な5つの可能なシグナリング状態がある。5つの状態に対して、log2(5)≒2.32ビットが、シンボルごとに符号化され得る。したがって、マッパーは、16ビットワードを受容し、それを7シンボルに変換することができる。なぜなら、シンボル当たり2.32ビットを搬送する7シンボルは16.24ビットを符号化し得るからである。言い換えれば、5つの状態を符号化する7つのシンボルの組合せは、57(78,125)の順列を有する。したがって、7シンボルは、16バイナリビットの216(65,536)の順列を符号化するために使用され得る。
【００３６】
図4は、回路状態図450によって示される3相変調データ符号化方式を使用して符号化された信号についてのタイミングチャート400の一例を含む図である。情報は、たとえば、ワイヤまたはコネクタは、状態図450によって定義される3つの位相状態S1、S2およびS3のうちの1つであるシグナリング状態のシーケンスに符号化され得る。各状態は、120度位相偏移によって他の状態から分離され得る。一例では、データは、ワイヤまたはコネクタ上の位相状態の回転の方向に符号化され得る。信号における位相状態は、時計回りの方向452、452'または反時計回りの方向454、454'に回転することができる。たとえば、時計回りの方向452、452'では、位相状態は、S1からS2、S2からS3、およびS3からS1への遷移のうちの1つまたは複数を含むシーケンスで進み得る。反時計回りの方向454、454'では、位相状態は、S1からS3、S3からS2、およびS2からS1への遷移のうちの1つまたは複数を含むシーケンスで進み得る。3つのワイヤ310a、310bおよび310cは、同じ信号の異なる位相偏移バージョンを運び、ここでは、バージョンは、互いに対して120度位相偏移される。各シグナリング状態は、ワイヤもしくはコネクタ上の異なる電圧レベル、および/またはワイヤもしくはコネクタを通る電流の流れの方向として表され得る。3ワイヤシステムにおけるシグナリング状態のシーケンスの各々の間、各ワイヤ310a、310bおよび310cは、他のワイヤとは異なるシグナリング状態にある。3つ以上のワイヤ310a、310bおよび310cが3相符号化システムで使用されるとき、2つ以上のワイヤ310a、310bおよび/または310cは、各シグナリング間隔で同じシグナリング状態にあり得るが、各状態は、シグナリング間隔ごとに少なくとも1つのワイヤ310a、310bおよび/または310cに存在する。
【００３７】
情報は、各位相遷移410での回転の方向に符号化され得、3相信号は、シグナリング状態ごとに方向を変え得る。非駆動ワイヤ310a、310bまたは310cは、回転の方向に関係なく、回転する3相信号におけるすべてのシグナリング状態で変わるので、位相遷移の前後でどのワイヤ310a、310bおよび/または310cが「0」状態(たとえば、非駆動状態)であるかを考慮することによって、回転の方向が決定され得る。
【００３８】
符号化方式はまた、アクティブに駆動される導体310a、310bおよび310cのうちの2つの極性408に、情報を符号化し得る。3ワイヤ実装で任意の時に、導体310a、310b、310cのちょうど2つは、反対方向の電流および/または電圧差で駆動される。単純な実装では、データ412は、1ビットが位相遷移410の方向に符号化され、第2のビットが現在の状態の極性408で符号化される、2ビット値412を使用して符号化され得る。
【００３９】
タイミングチャート400は、位相回転方向と極性の両方を使用したデータの符号化を示す。曲線402、404および406は、複数の位相状態について、それぞれ3つのワイヤ310a、310bおよび310c上で運ばれる信号に関する。最初に、位相遷移410は時計回りの方向であり、最上位ビットは、バイナリ「1」に設定され、その後、最上位ビットのバイナリ「0」によって表されるように、位相遷移410の回転が時間414に反時計回り方向に切り替わる。最下位ビットは、各状態の信号の極性408を反映する。
【００４０】
いくつかの例では、符号化方式は、2つのアクティブに駆動される導体310a、310bおよび/または310cの極性408の変化において情報を符号化することができる。一例では、「1」の値を有するビットは、2つのシンボル間隔の間の極性408に変化ありとして符号化されてよく、一方で、「0」の値を有するビットは、2つのシンボル間隔の間の極性408に変化なしとして符号化されてよい。デコーダは、回転の方向における変化および極性における変化を検出することによって、シンボル間の境界におけるデータを復号するように構成され得る。データが、図4の例における2つのシンボル間隔の間の極性の変化において符号化される場合、示された一連の符号化値412は、シーケンス{11,10,10,11,10,01,01,01,01,01,01,01}によって置き換えられ得る。
【００４１】
本明細書で開示するいくつかの態様によれば、データの1つのビットが、3ワイヤ3相符号化システムにおける回転または位相変化に符号化され得、追加のビットが、2つの駆動ワイヤの極性に、または前のワイヤ状態において使用された極性と比較される駆動ワイヤの極性の変化に符号化され得る。追加の情報は、現在の状態から可能な状態のうちのいずれかへの遷移を可能にすることによって、3ワイヤ3相符号化システムの各遷移に符号化する。位相ごとに3つの回転位相および2つの極性が与えられると、3ワイヤ3相符号化システムにおいて6つの状態が利用可能である。したがって、任意の現在の状態からの遷移に5つの状態が利用可能である。したがって、シンボル(遷移)当たり符号化されたlog2(5)≒2.32ビットが存在し得、マッパー302は16ビットワードを受容し、それを7シンボルに符号化することができる。
【００４２】
N相データ転送は、バスなどの通信媒体内に設けられる4つ以上のワイヤを使用し得る。同時に駆動され得る追加の信号ワイヤの使用では、状態と極性とのより多くの組合せがもたらされ、状態間の各遷移においてデータのより多くのビットが符号化されることが可能になる。このことは、システムのスループットを著しく改善し、データビットを送信するために複数の差動ペアを使用する手法を上回って電力消費を低減する一方で、増加した帯域幅を提供する。
【００４３】
一例では、エンコーダは、各状態に対して駆動される2つのワイヤペアを有する6つのワイヤを使用してシンボルを送信し得る。6つのワイヤは、A〜Fにラベル付けされ得、それにより、ある状態では、ワイヤAおよびFが正に、ワイヤBおよびEが負に駆動され、CおよびDが駆動されない(または電流を流さない)。6つのワイヤに対して、
【００４４】
【数１】
0006054586.tif 000002
【００４５】
のアクティブに駆動されるワイヤの可能な組合せと、
【００４６】
【数２】
0006054586.tif 000003
【００４７】
の各位相状態に対する極性の異なる組合せとが存在し得る。
【００４８】
アクティブに駆動されるワイヤの15の異なる組合せは、
【００４９】
【表１】
0006054586.tif 000004
【００５０】
駆動される4ワイヤのうち、2つのワイヤの可能な組合せが正に駆動される(そして他の2つは負でなければならない)。極性の組合せは、以下を含み得る。
【００５１】
【表２】
0006054586.tif 000005
【００５２】
したがって、異なる状態の総数は、15×6=90として計算され得る。シンボル間の遷移を保証するために、任意の現在の状態から89の状態が利用可能であり、各シンボルに符号化され得るビット数は、シンボル当たりlog2(89)≒6.47ビットとして計算され得る。この例では、5×6.47=32.35ビットであるので、32ビットワードは、マッパーによって5つのシンボルに符号化され得る。
【００５３】
任意のサイズのバスに対して駆動され得るワイヤの組合せの数に対する一般式は、バス内のワイヤの数および同時に駆動されるワイヤの数の関数として:
【００５４】
【数３】
0006054586.tif 000006
【００５５】
駆動されるワイヤに対する極性の組合せの数に対する式は:
【００５６】
【数４】
0006054586.tif 000007
【００５７】
シンボル当たりのビットの数は:
【００５８】
【数５】
0006054586.tif 000008
【００５９】
図5は、3ワイヤ3相デコーダのいくつかの態様を示す図500である。差動受信機502およびワイヤ状態デコーダ504は、互いに対して、3つの信号ワイヤ310a、310bおよび310cの状態のデジタル表現を提供し、前のシンボル期間における3つの信号ワイヤ310a、310bおよび310cのシグナリング状態と比較した3つの信号ワイヤ310a、310bおよび310cのシグナリング状態の変化を検出するように構成される。シンボル期間の間の3つの信号ワイヤ310a、310bおよび310cのシグナリング状態のデジタル表現は、生のシンボルと呼ばれ得る。デマッパ508によって処理されるべき1組の7つのシンボル516を得るために、一連の7つの連続的な生のシンボル514は、直列並列変換器506によって組み立てられる。デマッパ508は、出力データ520を提供するためにFIFO510でバッファリングされ得る16ビットの出力データ518を生成する。
【００６０】
動作中、ワイヤ状態デコーダ504は、ワイヤ310a、310bおよび310cにおいて受信される信号から一連のシンボル514を抽出することができる。シンボル514は、本明細書で開示されるように、ワイヤ310a、310bおよび310cにおいて受信される信号の極性と位相回転との組合せ、または位相の変化として表され得るシグナリング状態に基づいて復号される。ワイヤ状態デコーダは、ワイヤ310a、310bおよび310cからシンボルを確実に捕捉するために使用され得るクロック526を抽出するCDR524を含み得る。CDR524は、連続的なシンボル間隔の間の各境界でワイヤ310a、310bおよび/または310cのうちの少なくとも1つにおける遷移の発生に基づいてクロック526を生成するように構成され得る。CDR524は、すべてのワイヤ310a、310bおよび310cの時間を安定させることができ、それによって、現在のシンボルが復号のために高信頼に捕捉され得ることを確実にするために、クロック526のエッジを遅延させることができる。
【００６１】
CDR524によって使用される遅延は、同じシンボル境界において複数のエッジの影響をマスキングするのに十分な時間期間を許容するように構成され得、複数のエッジは、差動受信機502のうちの異なる差動受信機によって異なる時刻に生成される。これらの複数のエッジは、いくつかの状態遷移が異なる差動受信機502に、互いに対して時間的に分離され得るエッジを生成させるときに起こり得る。CDR524は、すべての可能なエッジが発生する時まで、シンボル境界において最初に発生するエッジに対する反応を遅延させる遅延要素を含み得る。CDR524の構成要素の性能の変動は、複数のエッジ間の遅延に影響を及ぼすと予想され得る。CDR524の構成要素の性能のこれらの変動は、最悪のケースの状態を考慮するCDR524についての遅延を構成することによって対処され得る。性能の変動は、たとえば、電力、電圧、および熱(PVT)の状態の変化によって生じ得る。遅延の持続時間は、通信リンクの性能に影響を及ぼすことがあり、通信リンク内で使用され得る最大クロック周波数を制限することがある。構成された遅延が短すぎる場合、単一のシンボルのために複数のクロックパルスが作成され得、これは、送信機と受信機との間の同期の損失をもたらし得る。遅延が長すぎる場合、シンボル時間は重複し得、それによって、クロック復元回路は、故障するか、2つのシンボル間隔に単一のパルスを生成する。
【００６２】
図6は、3ワイヤ3相デコーダにおけるクロック生成のいくつかの態様を示すブロック概略図600を含む。1組の差動受信機602a、602bおよび602cは、3つの信号ワイヤ310a、310bおよび310cの各々のシグナリング状態を、3つのワイヤ310a、310bおよび310cの別のもののシグナリング状態と比較する。図示の例では、第1の差動受信機602aは、ワイヤ310aおよび310bのシグナリング状態を比較し、第2の差動受信機602bは、ワイヤ310bおよび310cの状態を比較し、第3の差動受信機602cは、ワイヤ310aおよび310cの状態を比較する。本明細書で説明するように、ワイヤ310a、310bおよび310cのうちの少なくとも1つのシグナリング状態は、各シンボル境界で変化する。したがって、差動受信機602a、602bおよび602cのうちの少なくとも1つの出力が各シンボル間隔の終わりに変化するとき、状態変化検出回路604は、シグナリング状態の変化の発生を検出することができる。
【００６３】
シグナリング状態遷移の中には、単一の差動受信機602a、602bまたは602cによって検出可能であり得るものもあり、他のシグナリング状態遷移の中には、差動受信機602a、602bおよび/または602cのうちの2つ以上によって検出されるものもあり得る。一例では、2つのワイヤのシグナリング状態または相対的な状態は、シンボル遷移の後変化しない可能性があり、対応する差動受信機602a、602bまたは602cの出力も、シンボル遷移の後変化しない可能性がある。別の例では、1対のワイヤ602a、602bおよび/または602cにおける両方のワイヤは、第1の時間間隔において同じ第1の状態であり得、両方のワイヤは、第2の時間間隔において同じ第2の状態であり得、対応する差動受信機602a、602bまたは602cの出力は、位相遷移の後変化しない可能性がある。したがって、クロック発生回路606は、シグナリング状態遷移がいつ発生したかを決定するために、すべての差動受信機602a、602bおよび602cの出力を監視するシグナリング状態変化検出回路および論理604を含み得る。クロック発生回路は、検出されたシグナリング状態遷移に基づいて、受信クロック608を生成し得る。
【００６４】
異なるワイヤ310a、310bおよび/または310c上のシグナリング状態の変化は、異なる時に発生し得るかまたは検出され得る。シグナリング状態変化の検出のタイミングは、発生したシグナリング状態変化のタイプに従って変わり得る。この変動性の結果は、図6に提供される簡略タイミング図650に図示される。シグナリング状態変化検出回路604および/または差動受信機602a、602bおよび602cの出力を表すマーカー622、624および626は、説明の明快さのために、異なる高さが割り当てられている。マーカー622、624および626の相対的な高さは、クロック発生もしくはデータ復号のために使用される電圧もしくは電流レベル、極性または重み付け値との特定の関係を有していない。タイミングチャート650は、3つのワイヤ310a、310bおよび310c上で送信されるシンボルに関連した遷移のタイミングの影響を示す。タイミングチャート650において、いくつかのシンボル間の遷移は、シンボルがその間に確実に捕捉され得る、可変の捕捉ウィンドウ630a、630b、630c、630d、630e、630fおよび/または630g(まとめて、シンボル捕捉ウィンドウ630)をもたらし得る。検出されたシグナリング状態変化の数、およびそれらの相対的タイミングは、クロック信号608上のジッタをもたらし得る。
【００６５】
図7に表される単純な例700に示されるように、シンボルウィンドウ630および関連するジッタのサイズの変動性は、部分的にワイヤ310a、310bおよび310cの電気的特性によってもたらされ得る。遷移時間は、信号立上りまたは立下り時間の変動性および/または製造プロセストレランスによってもたらされた検出回路の変動性、電圧および電流源ならびに動作温度の変動および安定性によって影響を受け得る。遷移時間の大きい変動性は、3相シグナリングにおける異なる電圧または電流レベルの存在に起因し得る。簡略化された「電圧レベル」の例は図7に表されており、これは、単一ワイヤ310a、310bまたは310cの遷移時間を示す。第1のシンボル(Symn)702は、時間722に終わるシンボル間隔で送信され得、第2のシンボル(Symn+1)704は、時間724に終わるシンボル間隔で送信され得、第3のシンボル(Symn+2)706は、時間726に終わるシンボル間隔で送信され得、そのとき、第4のシンボル(Symn+3)708の送信が始まる。ワイヤ310a、310bまたは310cの電圧がしきい値電圧718および/または720に達するのにかかる時間に起因する第1の遅延712の後、第1のシンボル702によって決定される状態から第2のシンボル704に対応する状態への遷移が検出され得る。しきい値電圧は、ワイヤ310a、310bまたは310cの状態を決定するために使用され得る。ワイヤ310a、310bまたは310cの電圧がしきい値電圧718および/または720のうちの1つに達するのにかかる時間に起因する第2の遅延714の後、第2のシンボル704によって決定される状態から第3のシンボル706の状態への遷移が検出され得る。ワイヤ310a、310bまたは310cの電圧がしきい値電圧718および/または720に達するのにかかる時間に起因する第3の遅延716の後、第3のシンボル706によって決定される状態から第4のシンボル708の状態への遷移が検出され得る。
【００６６】
図示のように、第3の遅延716は、第1の遅延712よりも短い可能性があり、第2の遅延714は、最長の遅延であり得る。状態0が非駆動状態であるので、第2の遅延714は、最長の遅延であり得、ワイヤ310a、310bまたは310cにおける電圧は、しきい値720の方にゆっくりドリフトし得るのに対して、第1の遅延712および第2の遅延716は、ワイヤ310a、310bまたは310cがそれぞれ-1および+1の状態に能動的に引っ張られる遷移に関連する。
【００６７】
図8は、3ワイヤ3相通信リンクの一例における6つの可能な位相極性状態および30の可能な状態遷移を示す状態図800である。状態図800における可能な状態802、804、806、812、814および816は、図4の図450に示される状態を含む。例示的な状態要素820に示されるように、状態図800における各状態802、804、806、812、814および816は、(それぞれワイヤ310a、310bおよび310c上で送信される)信号A、BおよびCのシグナリング状態を示すフィールド822、ならびに差動受信機(図6に表される差動受信機602a、602b、602cなど)によるワイヤ電圧の減算の結果を示すフィールド824を含む。たとえば、状態802では、(+x)ワイヤA=+1、ワイヤB=-1、およびワイヤC=0であり、差動受信機602a(A-B)=+2、差動受信機602b(B-C)=-1、および差動受信機602c(C-A)=+1の出力をもたらす。状態図によって図示するように、状態変化検出回路604によって行われる遷移決定は、-2、-1、0、+1および+2電圧状態を含む、差動受信機602a、602b、および602cによって生成される5つの可能なレベルに基づく。
【００６８】
図9は、複数のシンボル間隔902のオーバレイから生成され得る単純化されたアイチャート(eye chart)を示す図である。信号遷移領域904は、可変の信号立上り時間が信頼できる復号を防止する不確実性の時間期間を表す。状態情報は、シンボルが安定しており、確実に受信され、復号され得る時間期間を表す「開眼(eye opening)」906において決定され得る。一例では、開眼906は、信号遷移領域904の端部912で開始し、シンボル間隔902の終端914で終わるように決定され得る。図9に表される例では、開眼906は、信号遷移領域904の端部912で開始し、コネクタ310a、310b、310cのシグナリング状態、および/または次のシンボルを反映するために3つの差動受信機602a、602bおよび602cの出力が変化し始めた時間916に終わるように決定され得る。
【００６９】
N相符号化のために構成される通信リンク220の最大速度は、開眼906の受信信号と比較して、信号遷移領域904の持続時間によって制限され得る。シンボル間隔902の最小期間は、たとえば、図5に示されるデコーダ500におけるCDR回路524に関連する、または図6のクロック発生回路606における厳しい設計マージンによって制約され得る。異なるシグナリング状態遷移は、2つ以上のワイヤ310a、310bおよび/または310cに対応する信号遷移時間の異なる変動に関連付けられ得、それによって、受信デバイスにおける差動受信機602a、602bおよび602cの出力は、差動受信機602a、602bおよび602cへの入力が変わり始めるシンボル境界908に関して異なる時におよび/またはレートで変わる。受信デバイスにおける複数の差動受信機602a、602bおよび602cの出力間の受信信号遷移時間の大きい潜在的な差は、一般に、CDR回路524における遅延要素の実装を必要とする。遅延要素は、遷移領域時間904を超える最小遅延期間を有し得る。一例では、遅延要素は、図6に示される状態変化検出回路604および/またはクロック発生回路606の1つまたは複数に設けられ得る。この遅延要素によって提供される最大遅延時間は、開眼906の終端916を超えて延びないない可能性がある。いくつかの例では、遅延要素によって提供される最大遅延時間は、時間914における次のシンボル間隔の開始を超えて延びないない可能性がある。より速いデータレートで、開眼906は、シンボル間隔902と比較して小さくなり得、シンボル遷移の変動性の影響は、最大シンボル送信レートを決定し得る。
【００７０】
可能な最小の信号遷移時間および可能な最大の遷移時間が単一のシンボル遷移の間に発生する可能性は低いので、任意の単一の遷移の持続時間は、信号遷移領域(tΔJ)904のフルレンジに及びそうにない。一例では、信号遷移領域904は、差動受信機602a、602bまたは602cの出力で検出される最初のゼロ交差910の時間によって制限され得、すべての可能なシンボル遷移について、最後のゼロ交差912の時間は、差動受信機602a、602bまたは602cの出力で検出され得る。差動受信機602a、602bおよび602cの出力で観察される遷移時間は、コネクタならびに/またはワイヤ310a、310bもしくは310cがコネクタならびに/またはワイヤ310a、310bもしくは310cのドライバ308への入力の後次の状態に達するためにかかる時間に対応し得る。可能な最長の遷移時間は、信号ワイヤおよび/またはコネクタ310a、310bもしくは310cの特性、ならびに関係する状態遷移のタイプに基づいて決定され得る。一例では、可能な最長の遷移時間は、1つまたは複数の信号の立上りまたは立下り時間によって決定され得る。立上りまたは立下り時間は、元のおよび/または最終の状態の性質および電圧レベルによって決定され得る。一般に、可能な最長の遷移時間は、能動的な駆動状態と非駆動状態との間の遷移に対応する。
【００７１】
遷移領域904についてのtΔJの高値は、CDR回路524またはクロック発生回路606に関連した設計の問題の増加をもたらし得る。たとえば、クロック発生回路606は、3つの差動受信機出力602a、602bおよび602cの第1のゼロ交差によってトリガされる遅延要素またはタイマーを使用し得る。すべての3つの差動受信機602a、602bおよび602cの出力の状態は、差動受信機602a、602bおよび602cのすべてが、開眼906によって定義され得るそれらの最終の状態に達するまで、安全にサンプリングされない場合がある。したがって、タイマーは、好ましくは、遷移領域904の端部912の直後に期限切れになり得、その時、クロック発生回路606は、3つの差動受信機602a、602bおよび602cの出力をサンプリングするために使用されるクロックエッジを出力することができる。
【００７２】
いくつかのデバイスでは、CDR回路524における遅延要素は、製造プロセス、回路供給電圧、およびダイ温度における変動(PVT変動)によって悩まされる可能性があり、著しく変わる遅延を起こす可能性がある。そのようなシステムでは、CDR回路524の公称の動作状態は、一般に、最悪のケースのPVTの影響下でさえ、遷移領域904の端部912の後、および次のシンボルに対する遷移領域の開始916の前にクロックエッジが発生することを確実にするために、開眼906の途中のどこかでクロックエッジを生成するために計画的に設定される。問題は、遷移領域904が開眼906と比較して大きいとき、開眼906内でのクロックエッジを保証するCDR回路524を設計する際に起こり得る。たとえば、典型的な遅延要素は、すべてのPVT状態の2倍変化する遅延値を生成し得、開眼906は、調整不可能な遅延値が選択され得るように、遷移領域904よりも大きくなければならない。
【００７３】
いくつかの例では、遷移領域904の持続時間は、送信回路(図3参照)の1つまたは複数のドライバ308への入力の変化と受信機(図5参照)内の差動受信機502の出力において観測または予測される対応する遷移との間の最大タイミングに基づいて計算され得る。他の例では、修正された遷移領域916は、すべてのシンボル遷移に対して、受信機502のうちの1つの出力における最初の遷移の時間908とその他の受信機502の出力における最後の遷移の時間914との間の最大の差として、受信機502の出力において決定され得る。
【００７４】
本明細書で開示するいくつかの態様によれば、エンコーダは、シンボル間隔902が遷移領域904によって占有される比率を最小にし、シンボル間隔902が開眼906によって占有される比率を最大にするように適合され得る。一例では、1つまたは複数の信号ワイヤ310a、310bおよび/または310c(図3参照)上のシグナリング状態遷移のタイミングは、いくつかのシンボル遷移に対するシンボル境界910、914の発生時または発生前に修正され得る。エンコーダ300において、たとえば、連続的なシンボル内の特定のN相シンボル状態802、804、806、812、814または816の予備知識(先験的状態の知識)が、1つまたは複数のN相ドライバ出力のタイミングが連続的なシンボル間のシンボル境界908、914において調整されるべきかどうかを予測するために使用され得る。調整の方法はまた、先験的状態の知識に基づいて決定され得る。調整は、ドライバ308のうちの1つまたは複数の出力に影響を及ぼすことがあり、調整は、シンボルごとに行われてよい。調整は、いくつかのドライバ出力信号遷移を進ませるかまたは遅延させるステップを含み得る。いくつかの例では、調整は、どの遷移が発生するかについての予備知識(先験的遷移の知識)に基づいて、いくつかのタイプのシンボル遷移におけるいくつかのドライバ出力に対するプリエンファシスの選択的追加を含み得る。その結果、受信デバイス内の差動受信機602a、602bおよび602cから出力されるエッジは、時間に対してより正確に整列され得る。
【００７５】
先験的遷移の知識は、状態遷移に対するコネクタの応答を特徴づける情報を含み得る。そのような情報は、コネクタ、ドライバおよび受信機のモデルから、およびそのモデルを使用して様々なタイプの遷移に対する通信リンクの応答をシミュレーションすることによって得られ得る。いくつかの例では、先験的遷移の知識は、物理デバイスおよび通信リンク上で実施される試験から得られる経験的情報を含み得る。先験的遷移の知識は、シミュレーション結果と測定結果との間の差に基づいて較正され得る。先験的遷移の知識は、システムの動作中に受信機によって提供される経験的情報を含み得る。
【００７６】
いくつかの態様によれば、遷移領域904によって占有されるシンボル間隔902の比率を最小にすると、信号ワイヤ310a、310bおよび310c上の遷移時間の間の、および/または差動受信機602a、602bおよび602cの出力における変動が小さいほど、顕著により大きい設計マージンが提供され得る。一例では、CDR回路524は、CDR回路524内で使用される1つまたは複数の遅延要素に与えられたより大きいタイミングトレランスから利益を得ることができる。別の例では、MワイヤN相通信リンク220の最大シンボル送信レートは、遷移領域904によって占有されるシンボル間隔902の比率が最小にされ、開眼906によって占有されるシンボル間隔902の比率が最大にされるときに、著しく増加され得る。
【００７７】
本開示のいくつかの態様によれば、遷移領域904の変動は、各シンボル遷移を個別に考慮すること、および1つまたは複数の信号ワイヤ上の遷移を選択的に遅延させるかまたは進ませることによって、送信機において著しく低減され得る。いくつかの例では、送信機内の検出回路は、シンボル遷移に関して予測されるかまたは計算される遷移時間を決定するように適合され得る。一例では、送信機は、遷移領域904または916の持続時間が所定の最大またはしきいの期間を超えるかどうかを決定し得る。遷移領域904または916が最大またはしきいの期間を超える場合、1つまたは複数の信号が、シンボル遷移のために受信機における遷移領域904または916を低減するために進められてよくまたは遅延されてよい。最大またはしきいの期間は、特定のまたは所望のシンボル送信レート、CDR回路524のトレランスおよび/または送信機もしくは受信機内の他の回路に対して定義されたトレランスに基づいて決定され得る。最大またはしきいの期間は、開眼906の特定のまたは所望の最小持続時間を得るように定義され得る。最大またはしきいの期間は、送信された信号から導出される受信クロックにおけるジッタを最小にするように定義され得る。遷移領域904または916は、1つまたは複数の信号が進められ得るかまたは遅延され得るときに著しく低減され得る。
【００７８】
図10は、本明細書で開示するいくつかの態様に従って遷移の前進および遅延のいくつかの態様を示す簡略図1000である。この例は、3つの入力信号1002、1004および1006を示すが、図10に関連して説明する概念は、4つ以上の信号ワイヤまたはコネクタ上でシンボルを送信する他の通信インターフェースに同等に適合することが諒解されるであろう。送信機は、受信デバイス内の差動受信機(または他の受信機)の出力における最小にされた遷移領域を作成するために計算される1組の信号1032、1034、1036を得るために、1つまたは複数の信号1002、1004、1006を進ませるおよび/または遅延させるように構成され得るモジュールまたは回路1010を含み得る。一例では、1つまたは複数の信号は、遷移検出信号602a、602bおよび602cを時間的に整列させる(図6参照および図6のタイミングチャート650参照)ために、送信機において進められてよくまたは遅延されてよい。信号602a、602bおよび602cは、信号602a、602bおよび602c内の対応するエッジが、所定の最大またはしきいのアライメント期間内に発生するとき、時間的に整列され得る。最大またはしきいのアライメント期間は、特定のまたは所望のシンボル送信レート、CDR回路524のトレランスおよび/または受信機内の他の回路に対して定義されたトレランスに基づいて決定され得る。最大またはしきいのアライメント期間は、開眼906の特定のまたは所望の最小持続時間を得るように定義され得る。最大またはしきいのアライメント期間は、受信クロック526におけるジッタを最小にするように定義され得る。
【００７９】
この例では、3つの信号1002、1004、1006は、回路1010の対応する入力1012、1014、1016に提供され、回路1010は、信号1002、1004、1006のうちの1つまたは複数を選択的に進ませるおよび/または遅延させること、ならびに出力1022、1024、1026において出力信号1032、1034、1036を作成することを行うように構成される。入力タイミング図1020に示すように、示された入力信号1002、1004、1006は、2つのシンボル間隔1040と1042との間の遷移1008を含む。第1のシンボル間隔1040において、信号1002、1004、1006は、{+1、-1、0}の値を有する「+x」のシンボル802に対応する(図8参照)。第2シンボル間隔1042において、信号1002、1004、1006は、{-1、0、+1}の値を有する「+z」のシンボル806に対応する。単に説明のために、「0」シグナリング状態と「+1」または「-1」シグナリング状態との間の遷移は最速の遷移であり、一方、「0」シグナリング状態への遷移は最遅の遷移であることが仮定され得る。いくつかの例では、シグナリング状態間の遷移の相対速度は異なることがある。
【００８０】
前進/遅延回路1010は、受信機が短縮された遷移間隔内で遷移を生成するように、最遅遷移信号を進めること、および/または最速遷移信号を遅延させることを行うように構成され得る。この例では、前進/遅延回路1010は、第3の信号1006上の遷移は受信機において最速遷移検出を作成する可能性が高いこと、第2の信号1004上の遷移は受信機において最遅遷移検出を作成する可能性が高いこと、第1の信号1002上の遷移は受信機において最速遷移検出も最遅遷移検出も作成しない可能性が高いことを決定し得る。一例では、前進/遅延回路1010は、3つの入力信号1002、1004、1006のバージョンである出力信号1032、1034、1036を提供し得、第2の信号1034における遷移はシンボル遷移1028に対して進められ、第3の信号はシンボル遷移1028に対して遅延される。いくつかの例では、第1の信号1032における遷移は、すべての出力信号1032、1034、1036上の遷移がシンボルクロックのエッジに接近して整列される受信機における遷移検出を作成するように、遅延されてよくまたは進められてよい。他の例では、3つの出力信号1032、1034および/または1036のうちの少なくとも1つは、遅延されることも進められることもなく、他の出力信号1032、1034、1036に適用される前進または遅延は、受信機によって使用されるシンボルクロックを考慮せずに遷移検出のアライメントを得るように計算される。すなわち、受信機に送信された信号1032、1034、1036のうちの1つまたは複数は、差動受信機602a、602bおよび602cによって受信されるときにエッジがより接近して整列され得るように、他の信号1032、1034、1036に対して進められるおよび/または遅延されることがある。いくつかの出力を進めることまたは遅らせることの決定は、シンボル遷移の前後の、生のシンボル値の状態に基づき得る。
【００８１】
図11は、マルチワイヤインターフェース上で送信されるべき信号1012、1014および1016に対して使用され得る前進/遅延回路1100の一例を示すブロック図である。前進/遅延回路1100は、図10の前進/遅延回路1010内に含まれ得る。信号1012、1014および1016の各々は、それぞれ、遅延セル1102a、1102bおよび1102cを通して処理される。一例では、各遅延セル1102a、1102bおよび1102cは、第1の入力信号1012に関してより詳細に説明するように、整数個の単位遅延期間を対応する入力信号1012、1014、1016に適用するように動作され得る。第1の入力信号1012は、複数の直列接続された遅延要素を含むマルチタップ遅延線1112に供給され、遅延要素は入力信号1012の漸進的に遅延されるバージョンを提供する。各遅延要素は、単位遅延期間と関連付けられ得る。マルチプレクサ1114は、入力信号1012の遅延されたバージョンを受信し、入力信号1012の遅延されたバージョンのうちの1つを出力信号1022として提供するように選択入力1110によって制御される。選択信号1110は、入力信号1012に加えられるべき遅延の単位の数に対応する2進数として提供され得る。いくつかの例では、マルチタップ遅延1112の遅延要素は、ゲートを通る関連付けられた伝搬遅延を有する1つまたは複数の組合せ論理ゲートを使用して実装され得る。他の例では、マルチタップ遅延1112の遅延要素は、フリップフロップを駆動するクロック信号の期間に対応する遅延を提供するフリップフロップを使用して実装され得る。他の例では、マルチタップ遅延1112の遅延要素は、アナログ遅延要素を使用して実装され得る。
【００８２】
マルチプレクサ1114は、決定論理1104によって提供される選択信号1110によって制御され得る。決定論理1104は、次のシンボル間隔1040に対応する3つの入力信号1012、1014、1016のシグナリング状態(図10参照)と、レジスタまたはフリップフロップ1106に記憶される、現在のシンボル間隔1042に対応する3つの出力信号1022、1024、1026のシグナリング状態とを比較し得る。決定論理1104は、シンボル1040、1042の間の境界において各ワイヤ310a、310b、310cに対して予想される信号遷移のタイプを決定し得、遷移領域904がしきいのまたは最大の期間を超えると予測され得るかどうかを決定し得る。決定論理1104は、3つの信号1012、1014、1016のうちの1つを処理する各セル1102a、1102bおよび1102c内のマルチプレクサ1114を制御するために、選択信号1110を提供し得る。一例では、プログラマブルセル1102a、1102bおよび1102cは、3つの信号1012、1014、1016の各々に対して設けられ得る。別の例では、プログラマブルセル1102a、1102bおよび1102cは、3つの信号1012、1014および/または1016のうちの2つに対して設けられてよく、他の信号1102a、1102bまたは1102cは、固定時間期間だけ遅延される。最後の例では、2つのセル1102a、1102bおよび/または1102cは、固定された遅延を有する第3の信号1012、1014または1016のタイミングに対して2つの信号1012、1014および/または1016のタイミングを調整するように使用され得る。
【００８３】
他の手法が実施されてもよい。一例では、1つまたは複数のドライバ308のうちの1つの「非駆動」出力が、必要な遷移を速やかに達成するために、遷移の開始時に高い駆動強度で選択的に駆動されてよい。この支援は、遷移中、遷移の完了後、および/またはケーブルにわたる往復時間が満了した後に取り除かれてよくまたは低減されてよい。「非駆動」出力ハードを一時的に駆動することで、ドライバにおける電力消費が低減され得る。「非駆動」出力を一時的に駆動することは、遷移中にエッジを進めることまたは遅らせることに加えて実施され得る。
【００８４】
図12は、第1の状態から第2の状態への可能な遷移およびシグナリング性能を改善するために適用され得るタイミング調整の簡略化された例を表す1組のタイミングチャート1200である。初期状態は、別の駆動状態、または非駆動状態への可能な遷移を含む、駆動状態とすることができる。タイミングチャート1202、1212および1222は、1組のチャート1250に示す信号遷移の前後に差動受信機602a、602bおよび602cにおいて測定可能な信号線310a、310bおよび310c(それぞれ、信号A、BおよびC)の間の差を示す。タイミングチャート1202および1252は、シンボル(+x)802からシンボル(-x)812への遷移に関係し、信号Aは+1状態から-1状態に遷移し、信号Bは-1状態から+1状態に遷移し、信号Cは0状態のままである。したがって、第1の差動受信機602aは、遷移1206の前に+2の差および遷移1206の後に-2の差を測定し得、第2の差動受信機602bは、遷移1204の前に-1の差および遷移1204の後に+1の差を測定し得、第3の差動受信機602cは、遷移1204の前に-1の差および遷移1204の後に+1の差を測定し得る。この例では、遷移1204と1206の両方は、最終の状態が駆動状態であることに起因する、時間的に近いゼロ交差を有する。
【００８５】
タイミングチャート1212および1254は、シンボル(+x)802からシンボル(+y)804への遷移に関係し、信号Aは、+1状態から0状態に遷移し、信号Bは、-1状態から+1状態に遷移し、信号Cは、0状態から-1状態に遷移する。したがって、第1の差動受信機602aは、遷移1216前の+2差、および遷移1216後の-1差を測定し得、第2の差動受信機602bは、遷移1214前の-1差、および遷移1214後の+2差を測定し得、第3の差動受信機602cは、遷移1218前の-1差、および遷移1218後の-1差(実質的に遷移なし)を測定し得る。この例では、遷移1214および1216は、かなりの時間期間だけ分離されたゼロ交差を有する。BC遷移1214が最終の駆動状態を有する2つの信号を伴い、AB遷移1216が最終の非駆動状態を有する1つの信号に関するので、差が発生し得る。補正動作が、エンコーダ306(図3参照)またはラインドライバ308などの他の回路の動作を介して送信機において行われ得る。一例では、信号Aの遷移の開始は、信号Bに対して信号Aの遷移を加速するために進められてよく1260、それによって、信号AとBとを比較する差動受信機602aのより速い出力遷移が得られる。信号Cの遷移の開始もまた、信号AとCの両方が変化し、差動受信機602cが信号AとCとを比較するので、過渡状態の発生を防止するために進められてよい1262。
【００８６】
タイミングチャート1222および1256は、シンボル(+x)802からシンボル(+z)806への遷移に関係し、信号Aは、+1状態から-1状態に遷移し、信号Bは、-1状態から0状態に遷移し、信号Cは、0状態から+1状態に遷移する。したがって、第1の差動受信機602aは、遷移1226前の+2差、および遷移1226後の-1差を測定し得、第2の差動受信機602bは、遷移1228前の-1差、および遷移1228後の-1差(実質的に遷移なし)を測定し得、第3の差動受信機602cは、遷移1224前の-1差、および遷移1224後の+2差を測定し得る。この例では、遷移1224および1226は、かなりの時間期間だけ分離されたゼロ交差を有する。差は、CA遷移1224がいずれも最終の駆動状態を有する信号AおよびCを伴い、AB遷移1226が最終の非駆動状態を有する1つの信号(B信号)を伴うことに起因する。補正動作が、一般的に、本明細書で開示するいくつかの態様に従って適合されるエンコーダ306、ドライバ308または他の回路によって、送信機において行われ得る。たとえば、信号Bの遷移の開始は、信号Aに対して信号Bの遷移を加速するために進められてよく1264、それによって、信号AとBとを比較する差動受信機602aのより速い出力遷移が得られる。信号Cの遷移の開始もまた、信号AとCの両方が変化し、差動受信機602cが信号AとBとを比較するので、過渡状態の発生を防止するために進められてよい1266。
【００８７】
図12に示す例は、+xから-xへ、+xから+yへ、および+xから+zへの3つの状態遷移に対する遷移のアライメントを説明する。これらの3つの状態遷移において発生する条件は、図8に示す30の可能な状態遷移のうちの18において存在し得、同様の補正動作が、これらの追加の状態遷移を加速するために送信機によって行われ得る。図示の例は、信号AおよびBが非駆動の0状態に遷移しているときのそれらの信号それぞれの前進1260および1264を説明する。いくつかの例では、送信機は、たとえば、状態遷移の検出を整列させるために、+xから+yへの遷移1254の間、「B」ドライバ出力の立上りエッジを遅延させ得る。送信機は、代替または追加として、非駆動である最終目標の状態を有する信号の立上りまたは立下りの時間を増加させ得る。たとえば、1つまたは複数のドライバ内のプリエンファシス回路が起動されてよく、または一時的により強いドライバが、最初に信号を非駆動状態に駆動するために使用されてもよい。同様の技法が、+xから+zへの状態遷移に適用されてよい。
【００８８】
信号A、Bおよび/またはCは、送信機内の信号の作成のタイミングを取るために使用される1つまたは複数のクロックを操作することによって選択的に進められてよい。一例では、1つまたは複数のより少ないクロックサイクルが、遷移の加速を引き起こすために遷移の前に、1つのワイヤ310a、310bまたは310cの状態の持続時間をカウントするときに使用されることがある。別の例では、1つまたは複数のクロックサイクルが、遷移を遅延させるために遷移の前に、1つのワイヤ310a、310bまたは310cの状態の持続時間に追加されることがある。一般的に、送信機は、信号遷移の開始を遅延または加速させるために追加または除外されるクロックサイクルを考慮に入れるために、後続のシンボルのタイミングを調整し得る。
【００８９】
非駆動状態に遷移するワイヤ310a、310bまたは310cを伴う遷移時間は、最初にワイヤ310a、310bまたは310cを非駆動状態の方に駆動することによって加速され得る。いくつかの例では、非駆動状態は、ワイヤ310a、310bおよび/または310cを所定の「自然な」電圧レベルの方に引っ張るために、受動または能動の構成要素を使用して得られ得る。
【００９０】
図13は、本明細書で開示する1つまたは複数の機能を実行するように構成され得る処理回路1302を採用する装置のためのハードウェア実装形態の簡略化された例を示す概念図1300である。本開示の様々な態様によれば、3相クロック復元遅延較正のための本明細書で開示する要素、または要素の任意の部分、または要素の任意の組合せは、処理回路1302を使用して実装することができる。処理回路1302は、ハードウェアモジュールとソフトウェアモジュールの何らかの組合せによって制御される1つまたは複数のプロセッサ1304を含むことができる。プロセッサ1304の例には、マイクロプロセッサ、マイクロコントローラ、デジタル信号プロセッサ(DSP)、フィールドプログラマブルゲートアレイ(FPGA)、プログラマブル論理デバイス(PLD)、状態機械、シーケンサ、ゲート論理、個別ハードウェア回路、および本開示全体にわたって説明される様々な機能を実行するように構成された他の適切なハードウェアが含まれる。1つまたは複数のプロセッサ1304は、特定の機能を実行し、ソフトウェアモジュール1316のうちの1つによって構成され、増強され、または制御され得る専用プロセッサを含み得る。たとえば、処理回路1302は、1つまたは複数のワイヤレスネットワーク上の送信のためのデータの符号化および復号を処理するように適合されたプロセッサとして機能するように構成され得る。1つまたは複数のプロセッサ1304は、初期化の間ロードされるソフトウェアモジュール1316の組合せによって構成され得、動作の間、1つまたは複数のソフトウェアモジュール1316のロードまたはアンロードを行うことによってさらに構成され得る。
【００９１】
図示の例では、処理回路1302は、バス1310によって概略的に表されるバスアーキテクチャを用いて実装されてもよい。バス1310は、処理回路1302の具体的な用途および全体的な設計制約に応じて、任意の数の相互接続するバスならびにブリッジを含み得る。バス1310は、1つまたは複数のプロセッサ1304およびストレージ1306を含む様々な回路を結びつける。ストレージ1306は、メモリデバイスおよび大容量記憶デバイスを含み得、本明細書ではコンピュータ可読媒体と呼ばれ得る。バス1310は、様々な他の回路、たとえばタイミングソース、タイマー、周辺機器、電圧調整器、および電動管理回路をリンクすることもできる。バスインターフェース1308は、バス1310とトランシーバ1312との間のインターフェースを与え得る。トランシーバ1312は、送信媒体を通して様々な他の装置と通信するための手段を提供する。装置の性質に応じて、ユーザインターフェース1318(たとえば、キーパッド、ディスプレイ、スピーカ、マイクロホン、ジョイスティック)も設けられてもよく、直接またはバスインターフェース1308を介して、バス1310に通信可能に結合され得る。
【００９２】
プロセッサ1304は、バス1310の管理、およびストレージ1306を含むコンピュータ可読媒体に記憶されたソフトウェアの実行を含み得る全体的な処理に関与し得る。この点で、処理回路1302は、プロセッサ1304を含み、本明細書で開示する方法、機能および技法のうちの任意のものを実装するために使用され得る。ストレージ1306は、ソフトウェアを実行するとき、プロセッサ1304によって操作されるデータを記憶するために使用され得、ソフトウェアは、本明細書で開示する方法のうちの任意のものを実装するように構成され得る。
【００９３】
処理回路1302における1つまたは複数のプロセッサ1304は、ソフトウェアを実行することができる。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能、アルゴリズムなどを意味するように広く解釈されるべきである。ソフトウェアは、コンピュータ可読の形でストレージ1306または外部コンピュータ可読媒体に常駐し得る。コンピュータ可読媒体および/またはストレージ1306は、非一時的コンピュータ可読媒体であり得る。非一時的コンピュータ可読媒体は、例として、磁気記憶デバイス(たとえば、ハードディスク、フロッピー（登録商標）ディスク、磁気ストリップ)、光ディスク(たとえば、コンパクトディスク(CD)またはデジタル多目的ディスク(DVD))、スマートカード、フラッシュメモリデバイス(たとえば、「フラッシュドライブ」、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびにコンピュータがアクセスし、読み取ることができるソフトウェアおよび/または命令を保存するための任意の他の適切な媒体を含む。また、コンピュータ可読媒体および/またはストレージ1306は、例として、搬送波、伝送路、ならびに、コンピュータがアクセスし読み取ることができるソフトウェアおよび/または命令を送信するための任意の他の適切な媒体も含み得る。コンピュータ可読媒体および/またはストレージ1306は、処理回路1302の中に、プロセッサ1304の中に、または処理回路1302の外に常駐し得、または処理回路1302を含む複数のエンティティにわたって分散され得る。コンピュータ可読媒体および/またはストレージ1306は、コンピュータプログラム製品において具現化することができる。例として、コンピュータプログラム製品は、パッケージング材料内のコンピュータ可読媒体を含む場合がある。当業者は、特定の適用例および全体的なシステムに課された設計制約全体に応じて、本開示全体にわたって提示された記載の機能を最も良く実装する方法を認識されよう。
【００９４】
ストレージ1306は、ロード可能なコードセグメント、モジュール、アプリケーション、プログラムなどにおいて維持され、および/または編成されるソフトウェアを維持することができ、これは、本明細書ではソフトウェアモジュール1316と呼ばれ得る。ソフトウェアモジュール1316の各々は、処理回路1302にインストールまたはロードされ、1つまたは複数のプロセッサ1304によって実行されると、1つまたは複数のプロセッサ1304の動作を制御する実行時画像1314に寄与する命令およびデータを含み得る。実行されると、いくつかの命令は、処理回路1302に、本明細書で説明するいくつかの方法、アルゴリズム、およびプロセスに従って機能を実行させることができる。
【００９５】
ソフトウェアモジュール1316のうちのいくつかは、処理回路1302の初期化の間にロードされ得、これらのソフトウェアモジュール1316は、本明細書で開示する様々な機能の性能を可能にするように処理回路1302を構成することができる。たとえば、いくつかのソフトウェアモジュール1316は、プロセッサ1304の内部デバイスおよび/または論理回路1322を構成することができ、たとえばトランシーバ1312、バスインターフェース1308、ユーザインターフェース1318、タイマー、数学的コプロセッサなどの外部デバイスへのアクセスを管理することができる。ソフトウェアモジュール1316は、割込みハンドラおよびデバイスドライバと対話する、および処理回路1302によって提供される様々なリソースへのアクセスを制御する制御プログラムおよび/またはオペレーティングシステムを含み得る。リソースは、メモリ、処理時間、トランシーバ1312へのアクセス、ユーザインターフェース1318などを含み得る。
【００９６】
処理回路1302の1つまたは複数のプロセッサ1304は、多機能とすることができ、それによって、ソフトウェアモジュール1316のいくつかは、ロードされ、異なる機能または同じ機能の異なるインスタンスを実行するように構成される。1つまたは複数のプロセッサ1304は、さらに、たとえば、ユーザインターフェース1318、トランシーバ1312、およびデバイスドライバからの入力に応答して開始される背景タスクを管理するように適合され得る。複数の機能の性能をサポートするために、1つまたは複数のプロセッサ1304は、マルチタスク環境を提供するように構成され得、それによって、複数の機能の各々は、必要または要望に応じて1つまたは複数のプロセッサ1304によってサービスされる1組のタスクとして実装される。一例では、マルチタスク環境は、異なるタスク間にプロセッサ1304の制御を渡す時分割プログラム1320を使用して実装され得、それによって、各タスクは、任意の顕著な動作の完了後、および/または、たとえば割込みなどの入力に応答して、時分割プログラム1320に1つまたは複数のプロセッサ1304の制御を戻す。タスクが1つまたは複数のプロセッサ1304の制御を有するとき、処理回路は、事実上、制御タスクに関連した機能によって対処されるために特化されている。時分割プログラム1320は、オペレーティングシステム、ラウンドロビンベースで制御を伝達するメインループ、機能の優先順位に従って1つまたは複数のプロセッサ1304の制御を割り振る機能、および/または1つまたは複数のプロセッサ1304の制御を処理機能に提供することによって、外部のイベントに答える割込み駆動メインループを含み得る。
【００９７】
図14は、本発明のいくつかの態様による符号化方法を示すフローチャートである。方法は、装置の構成要素であり得るデバイス202、230によって実施され得る。ステップ1402において、デバイス202、230は、3つ以上のコネクタ上で送信されるべき複数のシンボルの中の連続的なシンボルの各ペア間の差を決定し得る。連続的なシンボルの各ペア間の差は、3つ以上のコネクタのシグナリング状態に関連することがある。3つ以上のコネクタは少なくとも3つのワイヤを含み得、少なくとも1つのワイヤは、各シンボルを送信する間に非駆動状態である。
【００９８】
ステップ1404において、デバイス202、230は、差に基づいて連続的なシンボルのペア間のシンボル境界における遷移間隔の持続時間を推定し得る。
【００９９】
ステップ1406において、デバイス202、230は、遷移間隔の持続時間がしきいの期間を超えると推定されるときに遷移間隔の持続時間を低減するために、3つ以上のコネクタの1つまたは複数のドライバの動作を修正し得る。各シンボルは、3つ以上のコネクタの各々に対する少なくとも3つのシグナリング状態のうちの1つを定義し得る。デバイス202、230は、受信機内の状態遷移検出回路の2つ以上の出力の時間的アライメントを引き起こすことによって1つまたは複数のドライバの動作を修正し得る。状態遷移検出回路は、3つ以上のコネクタの異なるペアのシグナリング状態を比較するように構成され得る。時間的アライメントを引き起こすステップは、しきいの期間より少ない時間期間内に遷移を発生させるステップを含み得る。
【０１００】
一例では、デバイス202、230は、ドライバに、対応する状態遷移が第2のコネクタ上で開始される前に第1のコネクタ上で状態遷移を開始させるための1つまたは複数の遅延を構成することによって1つまたは複数のドライバの動作を修正し得る。
【０１０１】
別の例では、デバイス202、230は、ドライバに、対応する状態遷移が第2のコネクタ上で開始された後に第1のコネクタ上で状態遷移を開始させるための1つまたは複数の遅延を構成することによって1つまたは複数のドライバの動作を修正し得る。
【０１０２】
別の例では、デバイス202、230は、ドライバに、第2のコネクタ上の対応する状態遷移の開始に対して、第1のコネクタ上の状態遷移の開始を遅延させるかまたは進ませるための1つまたは複数の遅延を構成することによって1つまたは複数のドライバの動作を修正し得る。
【０１０３】
別の例では、デバイス202、230は、遷移間隔の持続時間がしきいの期間を超えると推定されるときに少なくとも1つのコネクタ上の状態遷移の開始を遅延させるかまたは進ませることによって1つまたは複数のドライバの動作を修正し得る。デバイス202、230は、遷移間隔の持続時間がしきいの期間より少ないと推定されるときに3つ以上のコネクタ上の状態遷移を遅延させるかまたは進ませることを控えることがある。
【０１０４】
別の例では、デバイス202、230は、遷移間隔の持続時間がしきいの期間を超えると推定されるときに遷移間隔の少なくとも一部の間、1つのコネクタをアクティブに駆動することによって1つまたは複数のドライバの動作を修正し得る。デバイス202、230は、遷移間隔の持続時間がしきいの期間より少ないと推定されるときに、連続的なシンボルのペアの第2のシンボルが送信される間、1つのコネクタを駆動することを控えることがある。
【０１０５】
一例では、デバイス202、230は、シンボル境界に対する3つ以上のコネクタの各々に対するシグナリング状態遷移時間を決定することと、シンボル境界と受信機における複数の差動受信機の各々の出力における遷移との間の遅延を推定することとによって、遷移間隔の持続時間を推定し得る。複数の差動受信機の各々は、3つ以上のコネクタの異なるペアに結合され得る。
【０１０６】
図15は、処理回路1502を用いる装置のためのハードウェア実装の簡略化された例を示す図1500である。処理回路1502は、バス1520によって一般的に表されるバスアーキテクチャを用いて実装することができる。バス1520は、処理回路1502の具体的な用途および全体的な設計制約に応じて、任意の数の相互接続するバスならびにブリッジを含み得る。バス1520は、プロセッサ1516と、モジュールまたは回路1504、1506および1508と、コネクタまたはワイヤ1514を駆動するように構成可能なラインドライバ1512と、コンピュータ可読記憶媒体1518とによって表される、1つもしくは複数のプロセッサおよび/またはハードウェアモジュールを含めて、様々な回路を一緒につなぐ。バス1520は、様々な他の回路、たとえばタイミングソース、周辺機器、電圧調整器、および電動管理回路をリンクすることもできる。一例では、バス1520は、受信クロックを生成し、マルチワイヤインターフェース1514からシンボルを捕捉するためにラインインターフェース回路1512と協働し得るCDR回路1524へのアクセスを提供する。
【０１０７】
プロセッサ1516は、マイクロプロセッサ、コントローラ、デジタル信号プロセッサ、シーケンサ、状態機械などを含み得る。プロセッサ1516は、コンピュータ可読記憶媒体1518上に記憶されたソフトウェアの実行を含む全般的な処理を受け持つ。ソフトウェアは、プロセッサ1516によって実行されるとき、処理回路1502に任意の特定の装置の上記で説明した様々な機能を実行させる。コンピュータ可読記憶媒体1518は、ソフトウェアを実行するときにプロセッサ1516によって操作されるデータを記憶するために使用されてもよい。処理回路1502は、モジュール1504、1506、1508、および1510のうちの少なくとも1つをさらに含む。モジュール1504、1506、1508、および/または1510は、コンピュータ可読記憶媒体1518に存在する/記憶される、プロセッサ1516内で動作しているソフトウェアモジュール、プロセッサ1516に結合された1つもしくは複数のハードウェアモジュール、またはそれらの何らかの組合せとすることができる。
【０１０８】
一構成では、ワイヤレス通信のための装置1500は、3つ以上のコネクタ1514上で送信されるべき複数のシンボル中の連続的なシンボルの各ペア間の、3つ以上のコネクタ1514のシグナリング状態に関連する差を決定するように構成されたモジュールまたは回路1504と、その差に基づいて連続的なシンボルのペア間のシンボル境界における遷移間隔の持続時間を推定するように構成されたモジュールまたは回路1506と、遷移間隔の持続時間がしきいの期間を超えると推定されるときに遷移間隔の持続時間を低減するために、3つ以上のコネクタの1つまたは複数のドライバの動作を修正するように構成されたモジュールまたは回路1510とを含む。各シンボルは、3つ以上のコネクタの各々に対する少なくとも3つのシグナリング状態のうちの1つを定義し得る。装置1500は、3つ以上のコネクタ1514を介して送信されたデータを符号化および/または復号するためのモジュールおよび/または回路1508、ならびに3つ以上のコネクタ1514上でシンボルを受信および/または送信するために使用されるCDR1524または他の回路を含み得る。上述のモジュールまたは回路1504、1506、1508、1510は、たとえば、プロセッサ206または236、物理レイヤドライバ210または240、ならびに記憶媒体208および238のいくつかの組合せとして動作するように構成された処理回路1302(図13参照)を使用して実装され得る。
【０１０９】
開示されたプロセスにおけるステップの特定の順序または階層は、例示的な手法の一例であることを理解されたい。設計上の選好に基づいて、プロセスにおけるステップの特定の順序または階層は再構成され得ることを理解されたい。添付の方法クレームは、様々なステップの要素を例示的な順序で提示したものであり、提示された特定の順序または階層に限定されることを意味するものではない。
【０１１０】
前述の説明は、当業者が本明細書に説明された様々な態様を実施することを可能にするように与えられる。これらの態様の様々な修正形態は、当業者に容易に明らかになり、本明細書に定められた一般的な原理は、他の態様に適用することができる。したがって、特許請求の範囲は本明細書に示された態様に限定されるものではなく、文言通りの特許請求の範囲に整合するすべての範囲を与えられるべきであり、単数の要素への言及は、そのように明記されていない限り、「唯一無二の」を意味するものではなく、「1つまたは複数の」を意味するものである。別段に明記されていない限り、「いくつかの」という用語は1つまたは複数を指す。当業者に知られているまたは後で知られることになる、本開示全体にわたって説明した様々な態様の要素の構造的および機能的なすべての均等物は、参照により本明細書に明確に組み込まれ、特許請求の範囲によって包含されることが意図される。その上、本明細書で開示する内容は、そのような開示が特許請求の範囲で明記されているかどうかにかかわりなく、公に供することは意図されていない。いかなるクレーム要素も、要素が「ための手段」という語句を使用して明確に列挙されていない限り、ミーンズプラスファンクションとして解釈されるべきではない。
【符号の説明】
【０１１１】
100  装置
102  処理回路
106  通信トランシーバ
108  特定用途向けIC(ASIC)
110  アプリケーションプログラミングインターフェース(API)
112  メモリ
114  ローカルデータベース
122  アンテナ
124  ディスプレイ
126  キーパッド
128  スライダースイッチ
200  装置
202  ICデバイス
204  ワイヤレストランシーバ
206  プロセッサ
208  記憶媒体
210  物理レイヤドライバ
214  アンテナ
220  通信リンク
222  チャネル
224  チャネル
226  チャネル
230  ICデバイス
232  ディスプレイコントローラ
234  カメラコントローラ
236  プロセッサ
238  記憶媒体
240  物理レイヤドライバ
300  MワイヤN相極性エンコーダ
302  マッパー
304  並直列変換器
306  Mワイヤ相エンコーダ
308  ドライバ
310a、310b、310c  信号ワイヤ
310  コネクタ
312  シンボル
314  電流入力シンボル
316a、316b、316c  信号
400  タイミングチャート
402  曲線
404  曲線
406  曲線
408  極性
410  位相遷移
412  データ
414  時間
450  回路状態図
452、452'  時計回りの方向
454、454'  反時計回りの方向
500  デコーダ
502  差動受信機
504  ワイヤ状態デコーダ
506  直列並列変換器
508  デマッパ
510  FIFO
514  シンボル
516  シンボル
518  出力データ
520  出力データ
524  CDR
526  クロック
602a  第1の差動受信機
602b  第2の差動受信機
602c  第3の差動受信機
604  状態変化検出回路
606  クロック発生回路
608  受信クロック
622  マーカー
624  マーカー
626  マーカー
630  シンボル捕捉ウィンドウ
630a、630b、630c、630d、630e、630f、630g  可変の捕捉ウィンドウ
650  タイミングチャート
700  例
702  第1のシンボル(Symn)
704  第2のシンボル(Symn+1)
706  第3のシンボル(Symn+2)
708  第4のシンボル(Symn+3)
712  第1の遅延
714  第2の遅延
716  第3の遅延
718  しきい値電圧
720  しきい値電圧
722  時間
724  時間
726  時間
800  状態図
802  N相シンボル状態
804  N相シンボル状態
806  N相シンボル状態
812  N相シンボル状態
814  N相シンボル状態
816  N相シンボル状態
820  状態要素
822  シグナリング状態を示すフィールド
824  ワイヤ電圧の減算の結果を示すフィールド
902  シンボル間隔
904  信号遷移領域
906  開眼
908  シンボル境界
910  シンボル境界
912  端部
914  終端
916  時間
1000  遷移の前進および遅延のいくつかの態様を示す簡略図
1002  入力信号
1004  入力信号
1006  入力信号
1008  遷移
1010  前進/遅延回路、モジュール
1012  入力、信号
1014  入力、信号
1016  入力、信号
1020  入力タイミング図
1022  出力
1024  出力
1026  出力
1028  シンボル遷移
1032  出力信号
1034  出力信号
1036  出力信号
1040  シンボル間隔
1042  シンボル間隔
1100  前進/遅延回路
1102a  遅延セル、プログラマブルセル
1102b  遅延セル、プログラマブルセル
1102c  遅延セル、プログラマブルセル
1104  決定論理
1106  フリップフロップ
1110  選択信号
1112  マルチタップ遅延
1114  マルチプレクサ
1202  タイミングチャート
1204  遷移
1206  遷移
1212  タイミングチャート
1214  遷移
1216  遷移
1218  遷移
1222  タイミングチャート
1224  遷移
1226  遷移
1228  遷移
1252  タイミングチャート
1254  タイミングチャート
1256  タイミングチャート
1300  概念図
1302  処理回路
1304  プロセッサ
1306  ストレージ
1308  バスインターフェース
1310  バス
1312  トランシーバ
1314  実行時画像
1316  ソフトウェアモジュール
1318  ユーザインターフェース
1320  時分割プログラム
1322  論理回路
1500  装置
1502  処理回路
1504  モジュール
1506  モジュール
1508  モジュール
1510  モジュール
1512  ラインドライバ
1514  ワイヤ
1516  プロセッサ
1518  コンピュータ可読記憶媒体
1520  バス
1524  CDR
【図１】
0006054586.tif 000009
【図２】
0006054586.tif 000010
【図３】
0006054586.tif 000011
【図４】
0006054586.tif 000012
【図５】
0006054586.tif 000013
【図６】
0006054586.tif 000014
【図７】
0006054586.tif 000015
【図８】
0006054586.tif 000016
【図９】
0006054586.tif 000017
【図１０】
0006054586.tif 000018
【図１１】
0006054586.tif 000019
【図１２】
0006054586.tif 000020
【図１３】
0006054586.tif 000021
【図１４】
0006054586.tif 000022
【図１５】
0006054586.tif 000023